(57)【要約】【課題】光ピックアップのＬＤ等から発生する熱を効率良く放熱することが可能な光ディスク装置を提供することを目的とする。【解決手段】ディスクトレー４のメカユニット７が挿入されるメカユニット挿入孔４ｅの左右両側に、円弧状に配列された複数の第２の開口部４ｃ及び４ｄ列を貫通形成して、スピンドルモータ５に装着された光ディスク１００の回転により生じる気流が、開口部４ｃ、４ｄを経て直接光ピックアップ６側に向かい（矢印Ｄ２）、ＬＤ６ａ、６ｂ等の光ピックアップ６の発熱部品の放熱、冷却することによって、光ピックアップ６の近傍での温度上昇を抑制する。【選択図】図２
2008016067.tif 000002
【特許請求の範囲】
【請求項１】
筐体と、該筐体の内外にスライド式に進退可能に支持されたディスクトレーと、該筐体内に収容された該ディスクトレー上の光ディスクの中心部を支持して回転させるターンテーブルを備えたスピンドルモータと、該スピンドルモータにより回転する光ディスクに対する記録、再生を行う光ピックアップと、前記ディスクトレーに固定され且つ前記スピンドルモータ及び前記光ピックアップを半径方向へ進退させる移動手段を保持したメカユニットと、を備えた光ディスク装置において、
前記ディスクトレーのメカユニット挿入部の側面部に、該ディスクトレー上の光ディスクの回転によって生じる気流をメカユニット内の光ピックアップに導入可能な開口部を配設したことを特徴とする光ディスク装置。
【請求項２】
請求項１記載の光ディスク装置において、
前記ディスクトレーの開口部の断面形状は、前記光ピックアップに向けて傾斜していることを特徴とする光ディスク装置。
【請求項３】
請求項１または２記載の光ディスク装置において、
前記筐体は、後部に発熱部品を搭載した回路基板を備え、前記メカユニットが該筐体内に収容されたとき、該回路基板の発熱部品に対向するディスクトレーの後部部分に前記気流を該発熱部品に導入可能な開口部を配設したことを特徴とする光ディスク装置。
【請求項４】
請求項３記載の光ディスク装置において、
前記ディスクトレーの後部に貫通形成した開口部は、前記スピンドルモータに装着された光ディスクの半径方向に沿った円弧状に複数列配列され、該光ディスクの内径側の開口部列の開口部数を外径側の開口部列の開口部数よりも多く設け、各開口部の断面形状は、前記回路基板方向に向けて傾斜していることを特徴とする光ディスク装置。
【請求項５】
筐体と、該筐体の内外にスライド式に進退可能に支持されたディスクトレーと、該筐体内に収容された該ディスクトレー上の光ディスクの中心部を支持して回転させるターンテーブルを備えたスピンドルモータと、該スピンドルモータにより回転する光ディスクに対する記録、再生を行う光ピックアップと、前記ディスクトレーに固定され且つ前記スピンドルモータ及び前記光ピックアップを半径方向へ進退させる移動手段を保持したメカユニットとを備えた光ディスク装置において、
前記メカユニットの表面は、光ピックアップの移動可能な透孔を有する保護カバーで被覆されており、該保護カバーの透孔の側面部に、前記ディスクトレー上の光ディスクの回転によって生じる気流を該メカユニット内の光ピックアップに導入可能な開口部を配設したことを特徴とする光ディスク装置。
【請求項６】
請求項５記載の光ディスク装置において、
前記開口部の外周に、前記気流を前記光ピックアップに向けて案内する気流案内部材が取り付けられていることを特徴とする光ディスク装置。
【請求項７】
請求項５または６記載の光ディスク装置において、
前記ディスクトレーは、請求項１乃至４のいずれか１項記載の開口部を有することを特徴とする光ディスク装置。
【請求項８】
請求項１乃至７のいずれか１項記載の光ディスク装置において、
前記メカユニットの下面を覆う底板部材を介して前記ディスクトレーにメカユニットを固定し、前記底板部材の下面には曲げ部を突設し、前記筐体の底部を形成する下ケース内底面には接地用の導電性弾性部材を配置し、前記メカユニットが筐体内に収容された時、前記曲げ部を介して底板部材が前記導電性弾性部材で接地されるように構成したことを特徴とする光ディスク装置。
【発明の詳細な説明】
【技術分野】
【０００１】
本発明は、ＣＤ、ＣＤ−ＲＯＭ、ＣＤ−Ｒ／ＲＷ、ＤＶＤ−ＲＯＭ、ＤＶＤ−ＲＷ、ＤＶＤ＋ＲＷ等の光ディスクに対する記録、再生を行う光ディスク装置に関する。
【背景技術】
【０００２】
ＣＤ−ＲＯＭ、ＣＤ−Ｒ／ＲＷ及びＤＶＤ等の光ディスクを再生、または記録、再生する光ディスク装置は、パソコン等のコンピューター装置に標準搭載されているが、最近普及しているノート型パソコン等の小型なパソコンにも搭載されるようになり、小型化、薄型化を図った光ディスク装置の開発が進んでいる。小型であっても光ディスク装置の再生／記録速度の向上は求められており、記録、再生動作の高速化に伴い光ピックアップに搭載されるレーザーダイオード（以下ＬＤという）も高出力になっている。ＬＤの高出力化に伴いその発熱量も増大し、光ディスク装置の内部温度も上昇する。内部温度が高くなるとＬＤに所定の電流を流しても必要な発光強度が得られず記録、再生性能が低下すると言う問題が生じる。また適切な発光強度を得るため大電流を流し続けるとＬＤが劣化し装置の寿命にも影響しかねない。
このような問題を改善するために、ディスクトレー、メカシャーシ、回路基板に通風口を設けてディスクトレー上で光ディスクを回転させた際に生ずる風の循環路を形成し、この循環された風によって、回路基板や光学ピックアップ等の被冷却部の放熱をさせることが提案されている（例えば、特許文献１参照）。
【特許文献１】特開２０００−２３１７８２公報
【発明の開示】
【発明が解決しようとする課題】
【０００３】
しかしながら、特許文献１記載の方法では、回路基板や光ピックアップ等の被冷却部を循環する風によって冷却しようとするので、循環する風は、筐体の後部に取り付けられた回路基板の発熱部材を通過した後に中央部に取り付けられる光ピックアップを通過することになり、回路基板の発熱部材の放熱によって温められた風によって、光ピックアップが放熱されることになって光ピックアップに対する放熱効率が悪く、十分な放熱効果を得ることができず、安定した記録、再生を行うことができないという問題がある。
本発明は、上記実情を考慮してなされたものであり、光ピックアップのＬＤ等から発生する熱を効率良く放熱することが可能な光ディスク装置を提供することを目的とする。
【課題を解決するための手段】
【０００４】
上記課題を解決するために、請求項１に記載の発明は、筐体と、該筐体の内外にスライド式に進退可能に支持されたディスクトレーと、該筐体内に収容された該ディスクトレー上の光ディスクの中心部を支持して回転させるターンテーブルを備えたスピンドルモータと、該スピンドルモータにより回転する光ディスクに対する記録、再生を行う光ピックアップと、前記ディスクトレーに固定され且つ前記スピンドルモータ及び前記光ピックアップを半径方向へ進退させる移動手段を保持したメカユニットとを備えた光ディスク装置において、前記ディスクトレーのメカユニット挿入部の側面部に、該ディスクトレー上の光ディスクの回転によって生じる気流をメカユニット内の光ピックアップに導入可能な開口部を配設したことを特徴とする。
また、請求項２の発明は、請求項１記載の光ディスク装置において、前記ディスクトレーの開口部の断面形状は、前記光ピックアップに向けて傾斜していることを特徴とする。
【０００５】
また、請求項３の発明は、請求項１または２記載の光ディスク装置において、前記筐体は、後部に発熱部品を搭載した回路基板を備え、前記メカユニットが該筐体内に収容されたとき、該回路基板の発熱部品に対向するディスクトレーの後部部分に前記気流を該発熱部品に導入可能な開口部を配設したことを特徴とする。
また、請求項４の発明は、請求項３記載の光ディスク装置において、前記ディスクトレーの後部に貫通形成した開口部は、前記スピンドルモータに装着された光ディスクの半径方向に沿った円弧状に複数列配列され、該光ディスクの内径側の開口部列の開口部数を外径側の開口部列の開口部数よりも多く設け、各開口部の断面形状は、前記回路基板方向に向けて傾斜していることを特徴とする。
【０００６】
また、請求項５の発明は、筐体と、該筐体の内外にスライド式に進退可能に支持されたディスクトレーと、該筐体内に収容された該ディスクトレー上の光ディスクの中心部を支持して回転させるターンテーブルを備えたスピンドルモータと、該スピンドルモータにより回転する光ディスクに対する記録、再生を行う光ピックアップと、前記ディスクトレーに固定され且つ前記スピンドルモータ及び前記光ピックアップを半径方向へ進退させる移動手段を保持したメカユニットとを備えた光ディスク装置において、前記メカユニットの表面は、光ピックアップの移動可能な透孔を有する保護カバーで被覆されており、該保護カバーの透孔の側面部に、前記ディスクトレー上の光ディスクの回転によって生じる気流を該メカユニット内の光ピックアップに導入可能な開口部を配設したことを特徴とする。
また、請求項６の発明は、請求項５記載の光ディスク装置において、前記開口部の外周に、前記気流を前記光ピックアップに向けて案内する気流案内部材が取り付けられていることを特徴とする。
また、請求項７の発明は、請求項５または６記載の光ディスク装置において、前記ディスクトレーは、請求項１乃至４のいずれか１項記載の開口部を有することを特徴とする。
【０００７】
また、請求項８の発明は、請求項１乃至７のいずれか１項記載の光ディスク装置において、前記メカユニットの下面を覆う底板部材を介して前記ディスクトレーにメカユニットを固定し、前記底板部材の下面には曲げ部を突設し、前記筐体の底部を形成する下ケース内底面には接地用の導電性弾性部材を配置し、前記メカユニットが筐体内に収容された時、前記曲げ部を介して底板部材が前記導電性弾性部材で接地されるように構成したことを特徴とする。
【発明の効果】
【０００８】
本発明によれば、上記構成を採用することにより、光ピックアップのＬＤ等から発生する熱を効率良く放熱することが可能な光ディスク装置を提供することが可能となる。
【発明を実施するための最良の形態】
【０００９】
以下、図面を参照して、本発明の実施形態を詳細に説明する。
図１は、本発明による一実施形態の光ディスク装置の分解斜視図である。本実施形態例による光ディスク装置は、板金製の下ケース２と、下ケース２を覆う同じく板金製の上ケース３とを組み合わせてなる筐体１と、後述する光ディスク１００（図１では図示されていない）を載置し筐体１の前後方向（矢印Ｂ方向）に移動可能なディスクトレー４と、ターンテーブル５ａによって光ディスク１００の中心孔１０１を嵌合支持して回転させるスピンドルモータ５と、移動手段によって光ディスクの半径方向（矢印Ｗ方向）へ進退可能に支持された光ピックアップ６と、スピンドルモータ５及び前記移動手段を含む光ピックアップ６を支持した状態でディスクトレー４に組み付けられたメカユニット７と、ディスクトレー４とメカユニット７とが一体的に前後方向に移動するように下ケース２に設けた可動な一対のレール１０ａ、１０ｂと、一対のレール１０ａ、１０ｂとディスクトレー４を前方へ押圧する図示しない排出機構及びディスクトレー４の装置本体への収納状態を保持するロック機構等から構成されるローディング機構と、を備えている。ディスクトレー４の前面には、ディスクトレー４の排出時に押圧操作することによって排出機構を作動させてディスクトレー４を押し出すイジェクトボタン１４を設けたフロントパネル１５が取り付けられる。イジェクトボタン１４は図示しないロック機構と連動するように構成されており、イジェクトボタン１４を押すとロック機構が解除され図示しない排出機構によりディスクトレー４が排出するようになっている。なお、下ケース２、上ケース３の材質としては、コスト的に有利な亜鉛処理鋼板（厚さ０．４〜０．５ｍｍ）を用いている。
【００１０】
図２は、ディスクトレー４を筐体１内に収容した際の図１のＡ−Ａ線上で切断した断面図、図３は、本実施形態例において使用されるスピンドルモータ５及び光ピックアップ６を取り付けたディスクトレー４の平面図である。図２に示すように、メカユニット７は、その下面を覆うために固定される底板部材１１とともに、ディスクトレー４に対して、防振ゴム７ａ、７ｂを介して固定される。底板部材１１の材質としては、銅板、ブリキ、ステンレス等の薄板板金（厚さ０．２〜０．３ｍｍ）等が使用できるが、防錆を考慮してブリキ、ステンレス材が使用されることが多く、コスト的にはブリキが有利である。下ケース２の後方には、光ディスク装置１を駆動、制御するための回路が形成された回路基板１２が設置されており、メカユニット７との間をＦＰＣ１３（図１参照）により接続されている。回路基板１２には各種モータ等を駆動するドライバーＩＣ１２ａや諸制御を行うＬＳＩ１２ｂ等の発熱部品が実装されている。
【００１１】
限られたスペース、例えば、ノートパソコンに搭載するには幅：１２８ｍｍ、奥行き：１２６ｍｍ、高さ：１２．７ｍｍ以下に装置外形寸法をする必要がある。そのため光ピックアップ及びその駆動機構を駆動、制御するＬＳＩ１２ｂ、ＩＣ１２ａ等の実装された回路基板も装置本体後方に設置されており、ＩＣ１２ａ、ＬＳＩ１２ｂ等の発熱が装置内部に蓄積されて装置内の温度上昇を招く。この温度上昇によっても記録、再生性能が低下すると言う問題が生じる。これらの発熱部品としての実装素子による発熱量は、装置の高速化に伴い比較的大きくなっている。そのため、この光ディスク装置１自体がノートパソコン等の小型機器の内部に収容される際には、回路基板１２上の発熱部品からの発熱を効率よく放熱、冷却する必要がある。
そのため、本実施例においては、図２及び図３にも示すように、ディスクトレー４の後部の適所、即ち回路基板１２に対向する位置に、複数の第１の開口部４ａ、４ｂ列を貫通形成して、スピンドルモータ５に装着された光ディスク１００の回転により生じる気流が、開口部４ａ、４ｂを経て直接回路基板１２側に向かい（矢印Ｄ１）、実装されているＬＳＩ１２ａ、１２ｂ等の発熱部品の放熱に寄与するようにしてある。つまり、従来であれば、充分に利用されることがなかった光ディスクの回転により発生する気流を、通気孔としての開口部４ａ、４ｂを介して積極的に発熱部品に対して（発熱部品をターゲットとして）供給することによって、放熱、冷却効果を発揮させている。また、装置内部の騒音発生源からの騒音が外部に漏れることもない。なお、開口部４ａ、４ｂの配置、個数、列の数等は、種々変更可能である。
【００１２】
また、ＣＤの記録、再生用のＬＤ６ａ及びＤＶＤの記録、再生用のＬＤ６ｂとこれらのＬＤ６ａ及び６ｂから出射されるレーザビームを屈折して光ディスク１００上に集光する光学系６ｃを備えた光ピックアップ６も、記録、再生時にＬＤ６ａ、６ｂの発光によって大きな発熱があり、この発熱による光ピックアップ６の近傍の温度が上昇してＬＤの発光特性が低下するという問題を招く。本実施例においては、この対策として二つの手段を講じている。
先ず、その一つは、図２及び図３に示すように、ディスクトレー４のメカユニット７が挿入されるメカユニット挿入孔４ｅの左右両側に、円弧状に配列された複数の第２の開口部４ｃ及び４ｄ列を貫通形成して、スピンドルモータ５に装着された光ディスク１００の回転により生じる気流が、開口部４ｃ、４ｄを経て直接光ピックアップ６側に向かい（矢印Ｄ２）、ＬＤ６ａ、６ｂ等の光ピックアップ６の発熱部品の放熱、冷却することによって、光ピックアップ６の近傍での温度上昇を抑制している。この場合、第２の開口部４ｃ、４ｄは、メカユニット挿入孔４ｅの両側に設ける必要はなく、片側であってもよく、その配置、個数、列の数等は、必要に応じて種々決定することができる。
【００１３】
次に、他の対策であるメカユニット７の改良について、図４〜図６に基づいて説明する。図４は、メカユニット７の表面を被覆する保護カバーを取り除いた平面図で、図５は前記メカユニット７の表面を被覆する保護カバーの平面図、図６は、図５のＹ−Ｙ線上で切断した断面図である。
本実施例で使用されるメカユニット７は、基板７ａに、スピンドルモータ５と光ピックアップ６を光ディスク１００の半径方向に移動させるシークモータ８が取り付けられ、シークモータ８の回転によって回転する送りねじ７ｄがシークモータ８の回転軸と平行に取り付けられている。この送りねじ７ｄには、光ピックアップ６の嵌合部（雌螺子部）６ｅが嵌合し、送りねじ７ｄの回転によって光ピックアップ６を光ディスク１００の半径方向（矢印Ｗ方向）に移動可能になっている。このメカユニット７は、３個所のネジ孔７ｃで底板部材１１に取り付けられ、この上面には、前記送りねじ７ｄ等を保護する保護カバー９（図５参照）が、基板７ａ上に形成された３個所のボス部７上に載置、支持され、保護カバー９のネジ止め部９ｆでネジ止めされている。
【００１４】
本実施例においては、この保護カバー９を有効に利用して光ピックアップ６の発熱に伴う温度上昇を抑制するようにしている。図５は、その平面図を示し、保護カバー９は、金属製の平板で形成されており、その中央部には、スピンドルモータ５のターンテーブル５ａと光ピックアップ６の光学系６ｃを挿入可能な鍵穴状の透孔９ａが設けられており、この透孔９ａの長孔に沿って平行に複数の第３の開口部９ｂが設けられている。この開口部９ｂの裏面の周囲には、図６に示すように、スピンドルモータ５に装着された光ディスク１００の回転により生じる気流Ｄ３が保護カバー９の裏面に取り付けられる光ピックアップ６に向かって流れ易いように、プラスチック製の傾斜した案内面を有する気流案内部材９ｃがアウトサーとモールドによって保護カバー９と一体に形成されている。このような保護カバー９を使用することによって、光ディスク１００の回転によって生じた気流が直接発熱した光ピックアップから放熱して冷却し、光ピックアップの昇温を適切に抑制することができる。このように、保護カバー９に第３の開口部９ｂを設けた場合には、開口部９ｂが光ピックアップ６により近接して配設することが可能となり、より効果的に光ピックアップ６の放熱を行うことが可能となる。
本実施例においては、筐体１の昇温を抑制するために、第１、第２、第３の開口部４ａ、４ｂ、４ｃ、４ｄ、９ｂを使用しているが、これらの開口部の全てを設ける必要はなく、例えば、回路基板１２が筐体１の外に取り付けられた場合等、必要に応じて、第２の開口部４ｃ、４ｄまたは第３の開口部９ｂのみを設けるようにしても良い。
【００１５】
次に、ノートパソコンに搭載可能な小型光ディスク装置では、装置本体を構成する筐体１は薄手の板金で作られており、幅、奥行きの制限からディスクトレー４の移動に対し、光ピックアップ６は、数十度の角度をつけて装置前面側に設置されている場合が多い。そのため光ピックアップ６に搭載されたＬＤ及びその駆動回路より発生する輻射ノイズは、デスクトップパソコンに搭載される標準サイズ（幅１４６ｍｍ、高さ４１．３ｍｍ、奥行き２０３ｍｍ）のディスク装置に比べ漏洩しやすく各種ＥＭＩ規格をクリアするのが困難という課題もある。本実施例においてもこれに対する対策を次のようにして行っている。
図７及び図８は、この対応策として施された輻射ノイズ対策機構を説明するための図で、図７は、ディスクトレー４を一部引き出した断面図を示し、図８（ａ）は、図７の前述の輻射ノイズ対策機構部分の拡大断面図で、図８（ｂ）は、ディスクトレー４を筐体１内に完全に収容した際の機構部分の拡大断面図、図８（ｃ）、（ｄ）は、導電性弾性部材２０の底板部材１１への取り付け方法の一例をそれぞれ示す断面図である。
【００１６】
この実施形態においては、メカユニット７の下面を覆う底板部材１１を介してディスクトレー４にメカユニット７を固定し、底板部材１１の下面には突起状の曲げ部１１ａを突設し、筐体１の底部を形成する下ケース２の内底面に設けた支持部２ａには接地用の導電性弾性部材２０を配置し、メカユニット７が筐体１内に収容された時、曲げ部１１ａを介して底板部材１１が導電性弾性部材２０に接地されるように構成した点が特徴的である。
亜鉛処理鋼板等から成る下ケース２には、図１に示したレール１０ａ、１０ｂにより前後方向に移動可能にディスクトレー４が支持されている。また下ケース２の内底面（上面）には、切り起こしにより立ち曲げ部（支持部）２ａが設けられており、この立ち曲げ部２ａには、金属板バネから成る導電性弾性部材２０が、図８（ｄ）に示すように粘着材により、あるいは、図８（ｃ）示すように曲げ加工で環状に形成した挿入部２０ａにより、固定されている。導電性弾性部材２０は、厚さ０．１ｍｍ程度の導電性のバネ材を図８に示すような形状（略Ｕ字状）にしたもので、通常はローディング動作に支障のないよう底板部材１１とは接触しない高さになっている。ディスクトレー４には前述のようにスピンドルモータ５と光ピックアップ６等を備えたメカユニット７がメカユニット７の下面を覆う底板部材１１を介してディスクトレー４に固定されている。底板部材１１には、メカユニット７が筐体１内に収納された時、下ケース２に固定された導電性弾性部材２０を押圧により変形させ、底板部材１１を接地させる曲げ部１１ａが設けられている。
【００１７】
図８（ｂ）に示すように収納完了時には、底板部材１１は導電性弾性部材２０を介して下ケース２に確実に接地される。従って、輻射ノイズの低減に寄与することができる。この実施形態によれば、メカユニット７の下面を覆う底板部材１１と下ケース２が導電性弾性部材２０を介して接地するので、接地性能の強化ができ輻射ノイズの低減に寄与できる。また、前記各実施形態の放熱手段としての開口部４ａ〜４ｅ及び９ｂと、メカユニット７の底板部材１１と導電性弾性部材２０を介した下ケース２への伝熱による放熱経路確保により、温度上昇の低減効果はよりアップする。なお、導電性弾性部材２０の材料としては、黄銅、リン青銅、ベリウム銅等の伝導率の高いものを使用すれば良い。
【００１８】
図９及び図１０は、本発明の他の実施形態に係る光ディスク装置の側部縦断面図、及びディスクトレーの平面図である。
この実施形態のディスクトレー４には、図２の実施形態の場合と同様に、ディスクトレー４の後部（回路基板１２と対向する部分）に、貫通孔としての第１の開口部４ｅ、４ｆ、４ｇが円弧状の開口部列として配設されており、各開口部の配置及び形状の点で図２の実施形態と異なっている。つまり、ディスクトレー４の後部に貫通形成した複数の開口部４ｅ、４ｆ、４ｇは、スピンドルモータ５に装着された光ディスク１００の半径方向に沿った円弧状に複数列配列され、内径側の開口部列の開口部４ｅの数を外径側の開口部４ｇ列の開口部数よりも多く設け、各開口部の断面形状は、回路基板１２方向に向けて傾斜している構成が特徴的である。即ち、この実施形態の開口部４ｅ、４ｆ、４ｇは、夫々スピンドルモータ５により中心を支持された光ディスク１００の中心部から所定半径ｒ１、ｒ２、ｒ３の各円周上に沿って配置された各開口部から成り、各開口部の縦断面形状は回路基板１２の方向に傾斜した貫通孔形状になっている。そのため光ディスク１００の回転による気流をより効率良く回路基板１２上へ導くことができ、ＬＳＩ１２ａ、１２ｂ等の発熱部品の放熱効果を挙げることができる。
【００１９】
一般に記録モード時のスピンドルモータの制御方式はＣＬＶ方式（ＣＬＶ＝Constant Linear Velocity）により行われるため、光ディスク１００の回転速度は内周がもっとも早く、外周に向かうほど遅くなる。そのため図１０に示したようにディスクトレー後部の各開口部列中の開口部数を、４ｅ＞４ｆ＞４ｇの順に漸減するように設定することにより、各開口部４ｅ、４ｆ、４ｇから回路基板１２へ向かう気流の速度も早くなり、効率的な放熱手段となる。なお、図２の実施形態では、回路基板１２の直上位置に対応するディスクトレー４の後部に単なる貫通孔としての開口部４ａ、４ｂを設けたため、自然対流により開口部４ａ、４ｂを経て温度の上昇した気流が循環し、放熱効果を妨げることも考えられるが、本実施形態の構成では開口部の数は内周≧外周になるよう複数個設けられており、回路基板１２の直上部に位置する開口部数が少ないため、前述の自然対流による放熱効果の減少も抑えられる。
同様に、本実施例においては、第２の開口部４ｈ、４ｉにおいても、開口部４ｈ、４ｉの断面形状は、光ピックアップ６に向かって気流Ｄ２が効果的に流れるように、光ピックアップ６の方向に傾斜した貫通孔形状になっている。従って、光ディスク１００の回転による気流をより直接的に、効率良く光ピックアップ６上へ導くことができ、ＬＤ６ａ、６ｂ等の発熱部品の放熱効果を向上させることができる。
【００２０】
図１２及び図１３は、図５で示すメカユニット７の保護カバー９の変形例を示し、図５で示す実施例の保護カバー９と基本的に同一である。しかし、図５の場合には、保護カバー９はプラスチック製の気流案内部材９ｃを金属製保護カバー９とアウトサート成形によって一体に形成したが、本実施例においては、気流案内部材９ｃを第３の開口部９ｂを形成する際に形成される切り起こし片９ｅを使用したものである。このような切り起こし片９ｅを気流案内部材として使用する場合には、図５のアウトサート成形のものに比べ、製作が容易でコスト削減を図ることができる。
【図面の簡単な説明】
【００２１】
【図１】本発明による実施例１の光ディスク装置の分解斜視図である。
【図２】図１のＡ−Ａ線上で切断した断面図である。
【図３】本発明による実施例１の光ディスク装置で使用されるディスクトレーの平面図である。
【図４】本発明による実施例１の光ディスク装置で使用されるメカユニットの保護カバーを取り除いた平面図である。
【図５】本発明による実施例１の光ディスク装置で使用されるメカユニットの保護カバーの平面図である。
【図６】図５のＹ−Ｙ線上で切断した断面図である。
【図７】本発明による実施例１の光ディスク装置の断面図である。
【図８】図７の輻射ノイズ対策機構部分の拡大断面図で、（ａ）はディスクトレーを引き出した状態における断面図、（ｂ）はディスクトレーを筐体内に収容した際における断面図、（ｃ）は本発明による輻射ノイズ対策機構としての導電性弾性部材の取り付け例を示す断面図、（ｄ）は本発明による輻射ノイズ対策機構としての導電性弾性部材の取り付け方法の他の例を示す斜視図である。
【図９】本発明による実施例２の光ディスク装置の断面図である。
【図１０】本発明による実施例２の光ディスク装置で使用されるディスクトレーの平面図である。
【図１１】図１０のＺ−Ｚ線上で切断した断面図である。
【図１２】本発明による実施例３の光ディスク装置で使用されるメカユニットの保護カバーの平面図である。
【図１３】図１２のＸ−Ｘ線上で切断した断面図である。
【符号の説明】
【００２２】
１  筐体、２  下ケース、３  上ケース、４  ディスクトレー、４ａ、４ｂ、４ｅ、４ｆ、４ｇ  第１の開口部、４ｃ、４ｄ、４ｈ、４ｉ  第２の開口部、５  スピンドルモータ、６  光ピックアップ、７  メカユニット、８  シークモータ、９  保護カバー、９ａ  透孔、９ｂ  第３の開口部、９ｃ、９ｅ  気流案内部材、１０ａ、１０ｂ  レール、１１  底板部材、１１ａ  曲げ部、１２  回路基板、１２ａ  ＩＣ、１２ｂ  ＬＳＩ、２０  導電性弾性部材、１００  光ディスク
【図１】
2008016067.tif 000003
【図２】
2008016067.tif 000004
【図３】
2008016067.tif 000005
【図４】
2008016067.tif 000006
【図５】
2008016067.tif 000007
【図６】
2008016067.tif 000008
【図７】
2008016067.tif 000009
【図８】
2008016067.tif 000010
【図９】
2008016067.tif 000011
【図１０】
2008016067.tif 000012
【図１１】
2008016067.tif 000013
【図１２】
2008016067.tif 000014
【図１３】
2008016067.tif 000015